(57)【要約】      （修正有）【課題】シャフトに応力が加わった場合でも、シャフトの変形を抑制し、潤滑油がシャフトの内部に浸入することを抑制できる構造を提供する。また、シャフトを含むモータの小型化を図り、ハードディスク装置等の微細な装置にも適用できる構造を提供する。【解決手段】軸受部において、静止部と回転部とが潤滑オイルが存在する間隙を介して対向する。回転部は軸方向に貫通する貫通孔を有する中空シャフト３１と、貫通孔の上端部を閉塞する上側ネジ３２１と、貫通孔の下端部を閉塞する下側ネジ３２２と、を有する。中空シャフトは、さらに上側開口において上側ネジと螺合する上側溝部３１３と、下側開口において下側ネジと螺合する下側溝部３１４と、を有する。潤滑オイルの一部は、下側ネジに接触する。下側溝部の軸方向の長さは上側溝部の軸方向の長さよりも短く、下側ネジの軸方向のピッチは上側ネジの軸方向のピッチよりも小さい。【選択図】図４
2019097344.tif 000002
【特許請求の範囲】
【請求項１】
モータであって、
ステータを有する静止部と、
前記ステータと対向するマグネットを有し、前記静止部に対して、上下に延びる中心軸を中心として軸受部を介して回転可能に支持される回転部と、
を有し、
前記軸受部において、前記静止部と前記回転部とが潤滑オイルが存在する間隙を介して対向し、
前記回転部は、さらに
前記中心軸に沿って配置され、軸方向に貫通する貫通孔を有する中空シャフトと、
前記貫通孔の上端部に位置する開口である上側開口を閉塞する上側ネジと、
前記貫通孔の下端部に位置する開口である下側開口を閉塞する下側ネジと、
を有し、
前記中空シャフトは、さらに
前記上側開口において前記上側ネジと螺合する上側溝部と、
前記下側開口において前記下側ネジと螺合する下側溝部と、
を有し、
前記潤滑オイルの一部は、前記下側ネジに接触し、
前記下側溝部の軸方向の長さは前記上側溝部の軸方向の長さよりも短く、前記下側ネジの軸方向のピッチは前記上側ネジの軸方向のピッチよりも小さい、モータ。
【請求項２】
請求項１に記載のモータであって、
前記静止部は、さらに
前記中空シャフトの周囲において軸方向に円筒状に延びるスリーブと、
前記スリーブの下端部の開口を塞ぐ円盤状のキャップと、
前記スリーブの下面の径方向内側の端部を含む一部と前記キャップの上面との軸方向の隙間であり、かつ前記潤滑オイルが存在するオイル溜まり部と、
を有し、
前記下側ネジは、
前記貫通孔において円柱状に延びる下側ネジ軸部と、
前記下側ネジ軸部の下面に接続され、径方向に円盤状に拡がる下側ネジ円盤部と、
を有し、
前記下側ネジ円盤部の一部は、前記オイル溜まり部に位置する、モータ。
【請求項３】
請求項１または請求項２に記載のモータであって、
前記上側ネジの軸方向のピッチは、０．３ｍｍ以上かつ０．５ｍｍ以下である、モータ。
【請求項４】
請求項１から請求項３までのいずれか１項に記載のモータであって、
前記下側ネジの軸方向のピッチは、０．１ｍｍ以上かつ０．３ｍｍ以下である、モータ。
【請求項５】
請求項１から請求項４までのいずれか１項に記載のモータであって、
前記上側溝部の軸方向の長さは、５．０ｍｍ以上かつ６．０ｍｍ以下である、モータ。
【請求項６】
請求項１から請求項５までのいずれか１項に記載のモータであって、
前記下側溝部の軸方向の長さは、２．０ｍｍ以上かつ３．０ｍｍ以下である、モータ。
【請求項７】
請求項１から請求項６までのいずれか１項に記載のモータであって、
前記下側ネジのうち前記下側溝部と螺合する部位の外径に対する前記中空シャフトの外径は、１．５倍以上かつ２．０倍以下である、モータ。
【請求項８】
請求項１から請求項７までのいずれか１項に記載のモータであって、
前記回転部は、
前記中空シャフトと、前記下側ネジとの径方向の間に位置する接着剤
をさらに有する、モータ。
【請求項９】
請求項８に記載のモータであって、
前記接着剤は、前記中空シャフトと前記下側ネジとの径方向の間において、周方向に全周に亘って位置する、モータ。
【請求項１０】
請求項１から請求項９までのいずれか１項に記載のモータであって、
前記潤滑オイルは、前記間隙において連続して存在する、モータ。
【発明の詳細な説明】
【技術分野】
【０００１】
本発明は、モータに関する。
【背景技術】
【０００２】
ハードディスク装置や光ディスク装置には、ディスクを回転させるモータが搭載される。従来のモータについては、例えば、特開２００２−３３９９５５号公報に、記載されている。当該公報のモータは、回転軸と支持部材との間に潤滑油が介在し、支持部材に対して回転軸が非接触状態で回転する動圧軸受けを有する。また、回転軸の貫通穴が封止ねじにより密封されているため、潤滑油の貫通穴内への浸入が阻止される。
【特許文献１】特開２００２−３３９９５５号公報
【発明の概要】
【発明が解決しようとする課題】
【０００３】
特開２００２−３３９９５５号公報の構造では、モータの組立て時または駆動時に外乱が発生することによって、シャフト（回転軸）に応力が加わり、シャフトの変形等によって、潤滑油がシャフトの内部に浸入する虞がある。また、シャフトの剛性を確保するためにシャフトの径を過度に大きくすると、シャフトを含むモータが大型になり、ハードディスク装置等の微細な装置に適用できない虞がある。
【０００４】
本発明の目的は、モータの組立て時または駆動時に外乱が発生することによって、シャフトに応力が加わった場合でも、シャフトの変形を抑制し、潤滑油がシャフトの内部に浸入することを抑制できる構造を提供することである。また、シャフトを含むモータの小型化を図り、ハードディスク装置等の微細な装置にも適用できる構造を提供することである。
【課題を解決するための手段】
【０００５】
本願の例示的な第１発明は、モータであって、ステータを有する静止部と、前記ステータと対向するマグネットを有し、前記静止部に対して、上下に延びる中心軸を中心として軸受部を介して回転可能に支持される回転部と、を有し、前記軸受部において、前記静止部と前記回転部とが潤滑オイルが存在する間隙を介して対向し、前記回転部は、さらに前記中心軸に沿って配置され、軸方向に貫通する貫通孔を有する中空シャフトと、前記貫通孔の上端部に位置する開口である上側開口を閉塞する上側ネジと、前記貫通孔の下端部に位置する開口である下側開口を閉塞する下側ネジと、を有し、前記中空シャフトは、さらに前記上側開口において前記上側ネジと螺合する上側溝部と、前記下側開口において前記下側ネジと螺合する下側溝部と、を有し、前記潤滑オイルの一部は、前記下側ネジに接触し、前記下側溝部の軸方向の長さは前記上側溝部の軸方向の長さよりも短く、前記下側ネジの軸方向のピッチは前記上側ネジの軸方向のピッチよりも小さい。
【発明の効果】
【０００６】
本願の例示的な第１発明によれば、中空シャフトの下側開口を閉塞する下側ネジと螺合する下側溝部の長さは、中空シャフトの上側開口を閉塞する上側ネジと螺合する上側溝部の長さよりも短い。また、下側ネジの軸方向のピッチは、上側ネジの軸方向のピッチよりも小さい。これにより、モータの組立て時または駆動時に外乱が発生することによって、シャフトに応力が加わった場合でも、シャフトの変形を抑制できる。この結果、潤滑油がシャフトの内部に浸入することを抑制できる。また、シャフトを含むモータを小型化することができ、ハードディスク装置等の微細な装置にも適用できる。
【図面の簡単な説明】
【０００７】
【図１】図１は、第１実施形態に係るディスク駆動装置の縦断面図である。
【図２】図２は、第１実施形態に係るモータの縦断面図である。
【図３】図３は、第１実施形態に係るモータの部分縦断面図である。
【図４】図４は、第１実施形態に係る中空シャフト、上側ネジ、および下側ネジの縦断面図である。
【図５】図５は、第１実施形態に係る上側ネジおよび下側ネジの縦断面図である。
【発明を実施するための形態】
【０００８】
以下、本発明の例示的な実施形態について、図面を参照しながら説明する。なお、本願では、モータの中心軸と平行な方向を「軸方向」、モータの中心軸に直交する方向を「径方向」、モータの中心軸を中心とする円弧に沿う方向を「周方向」、とそれぞれ称する。また、本願では、軸方向を上下方向とし、ステータに対して、ディスクを押さえつけるクランプ側を上として、各部の形状や位置関係を説明する。ただし、この上下方向の定義により、本発明に係るモータおよびディスク駆動装置の使用時の向きを限定する意図はない。また、本願において「平行な方向」とは、略平行な方向も含む。また、本願において「直交する方向」とは、略直交する方向も含む。
【０００９】
＜１．第１実施形態＞
＜１−１．ディスク駆動装置の構成＞
図１は、第１実施形態に係るディスク駆動装置１の縦断面図である。ディスク駆動装置１は、中央に円孔を有する磁気ディスク１２を回転させながら、磁気ディスク１２に対して情報の読み出しおよび書き込みを行う装置である。図１に示すように、ディスク駆動装置１は、モータ１１、３枚の磁気ディスク１２、アクセス部１３、およびハウジング１０の一部を構成するカバー１４を有する。
【００１０】
モータ１１は、磁気ディスク１２を支持しながら、上下に延びる中心軸９を中心として磁気ディスク１２を回転させる。モータ１１は、一部が磁気ディスク１２の下側において径方向に拡がるベース部２１を有する。モータ１１の少なくとも一部、磁気ディスク１２、およびアクセス部１３は、ベース部２１とカバー１４とで構成されるハウジング１０の内部に、収容される。アクセス部１３は、磁気ディスク１２の記録面に沿ってヘッド１３１を移動させて、磁気ディスク１２に対する情報の読み出しおよび書き込みの少なくとも一方を行う。なお、ディスク駆動装置１は、２枚以下または４枚以上の磁気ディスク１２を有していてもよい。
【００１１】
ハウジング１０の内部空間には、塵または埃が極度に少ない清浄な空気が充填される。これにより、アクセス部１３に対する気体の抵抗が、低減される。ただし、空気に代えて、ヘリウムガス、水素ガス、または窒素ガスが充填されてもよい。また、これらの気体と空気との混合気体が充填されてもよい。ベース部２１とカバー１４との接合部は、エラストマー等のシール材で封止されている。これにより、筐体の内部空間が、気密に保たれている。
【００１２】
＜１−２．モータの構成＞
続いて、モータ１１の詳細な構成について説明する。図２は、第１実施形態に係るモータ１１の縦断面図である。図２に示すとおり、モータ１１は、静止部２、回転部３、および後述する軸受部を有する。静止部２は、ディスク駆動装置１のハウジング１０に対して、相対的に静止している。回転部３は、静止部２に対して、中心軸９を中心として、後述する軸受部を介して回転可能に支持されている。
【００１３】
本実施形態の静止部２は、ベース部２１、ステータ２２、スリーブ２３、およびキャップ２４を有する。
【００１４】
ベース部２１は、後述するステータ２２を支持する。ベース部２１の材料には、例えばアルミニウム合金やステンレス等の金属が用いられる。ベース部２１は、ベース底板部２１１、ベース円筒部２１２、およびベース側壁部２１３（図１参照）を有する。ベース底板部２１１、ベース円筒部２１２、およびベース側壁部２１３は、一繋がりに形成されている。
【００１５】
ベース底板部２１１は、後述する回転部３および磁気ディスク１２の下方において、中心軸９に直交する方向に板状に拡がる部位である。また、本実施形態のベース底板部２１１の下面には、モータ１１に駆動電流を供給するための回路基板が配置されている。ベース円筒部２１２は、ベース底板部２１１の径方向内側の端部から上方へ向けて、略円筒状に延びる部位である。また、ベース円筒部２１２は、中心軸９と略同軸に配置されている。ベース側壁部２１３は、後述する回転部３、磁気ディスク１２、およびアクセス部１３の径方向外側において、軸方向に延びる部位である。ベース側壁部２１３の上端部は、カバー１４の径方向外側の端部の下面に固定される。
【００１６】
ステータ２２は、ステータコア４１と複数のコイル４２とを有する電機子である。ステータ２２は、ベース部２１の少なくとも一部よりも上方に位置する。ステータコア４１は、例えば、珪素鋼板等の電磁鋼板が軸方向に積層された積層鋼板からなる。ステータコア４１は、ベース円筒部２１２の外周面に、例えば接着剤で固定されることによって、ベース部２１に直接的に支持される。なお、ステータ２２は、別部材（図示省略）を介してベース部２１に間接的に支持されてもよい。
【００１７】
また、ステータコア４１は、円環状のコアバック４１１と、コアバック４１１から径方向外側へ向けて突出した複数のティース４１２と、を有する。複数のコイル４２は、複数のティース４１２の周囲に巻かれた導線の集合体である。モータ１１の駆動電流は、外部電源（図示省略）から、上述の回路基板および当該導線を介して、コイル４２に供給される。複数のティース４１２および複数のコイル４２は、好ましくは、中心軸９を中心とした周方向に、円環状に略等間隔に配列される。
【００１８】
スリーブ２３は、後述する中空シャフト３１の周囲において、軸方向に略円筒状に延びる部材である。スリーブ２３の下部は、ベース部２１の貫通孔２１０内に挿入され、ベース部２１に対して、例えばかしめまたは接着により固定される。さらに、スリーブ２３の周方向の一部には、スリーブ貫通孔２３０が設けられている。スリーブ貫通孔２３０は、スリーブ２３を軸方向に貫通する。また、スリーブ２３は、下端部に環状凸部２３５を有する。環状凸部２３５は、スリーブ貫通孔２３０よりも径方向外側において、スリーブ２３の下面から下向きに突出する。
【００１９】
キャップ２４は、スリーブ２３の下端部の開口を塞ぐ円盤状の部材である。キャップ２４は、スリーブ２３の環状凸部２３５に、例えばかしめまたは接着により固定される。図３は、第１実施形態に係るモータ１１の部分縦断面図である。図３に示すとおり、スリーブ２３の下面２３４の径方向内側の端部を含む一部は、キャップ２４の上面と、間隙（以下、「オイル溜まり部２５」とする。）を介して軸方向に対向する。モータ１１の製造時には、スリーブ２３の径方向内側に後述する中空シャフト３１が挿入され、後述する下側ネジ３２２によって中空シャフト３１の下端部の開口（後述する下側開口３１２）が閉塞された後、スリーブ２３にキャップ２４が固定される。その際、オイル溜まり部２５に存在する気体は、スリーブ貫通孔２３０を通って、モータ１１の外部空間へ排出される。このため、キャップ２４を取り付ける際の抵抗を低減することができ、滑らかに作業することができる。
【００２０】
図２に戻る。本実施形態の回転部３は、中空シャフト３１、上側ネジ３２１、下側ネジ３２２、ハブ３３、およびマグネット３４を有する。
【００２１】
中空シャフト３１は、中心軸９に沿って配置され、上述のスリーブ２３および後述するハブ３３の径方向内側において軸方向に延びる部材である。スリーブ２３の内周面２３３は、中空シャフト３１の外周面と、僅かな間隙を介して径方向に対向する。中空シャフト３１の材料には、例えば、ステンレス鋼等の金属が使用される。また、中空シャフト３１の材料は、磁性または非磁性のいずれであってもよい。さらに、中空シャフト３１は、後述するハブ３３と、単一の部材であっても、別の部材であってもよい。中空シャフト３１の径方向内側の中心軸９の周囲には、貫通孔３１０が設けられている。貫通孔３１０は、中空シャフト３１を軸方向に貫通する。貫通孔３１０の上端部に位置する開口である上側開口３１１は、後述する上側ネジ３２１の止め穴となっている。貫通孔３１０の下端部に位置する開口である下側開口３１２は、後述する下側ネジ３２２の止め穴となっている。なお、中空シャフト３１の詳細な構造については、後述する。
【００２２】
上側ネジ３２１は、中空シャフト３１の上側開口３１１に挿入され、上側開口３１１を閉塞する金属製の部材である。上側ネジ３２１は、磁気ディスク１２を押さえつけるクランプ１３２を、中空シャフト３１に固定する。下側ネジ３２２は、中空シャフト３１の下側開口３１２に挿入され、下側開口３１２を閉塞する金属製の部材である。下側ネジ３２２は、下側ネジ軸部６１と下側ネジ円盤部６２とを有する。下側ネジ軸部６１は、貫通孔３１０において円柱状に延びる部位である。下側ネジ円盤部６２は、下側ネジ軸部６１の下面に接続され、径方向に円盤状に拡がる部位である。下側ネジ３２２が貫通孔３１０の下端部に挿入された状態において、スリーブ２３の下面２３４と、下側ネジ円盤部６２の上面とは、僅かな間隙を介して軸方向に対向する。また、下側ネジ円盤部６２は、オイル溜まり部２５に位置する。さらに、下側ネジ円盤部６２の下面は、キャップ２４の上面と、僅かな間隙を介して軸方向に対向する。なお、上側ネジ３２１および下側ネジ３２２は、樹脂製であってもよい。上側ネジ３２１および下側ネジ３２２の詳細な構造については、後述する。
【００２３】
ハブ３３は、中心軸９の周囲において環状に拡がる部材である。ハブ３３は、ハブ環状部３３１、ハブ垂下部３３２、ヨーク部３３３、およびフランジ部３３４を有する。ハブ環状部３３１、ハブ垂下部３３２、ヨーク部３３３、およびフランジ部３３４は、一繋がりに形成されている。
【００２４】
ハブ環状部３３１は、中空シャフト３１の外周面に固定され、中空シャフト３１の上部から径方向外側へ向けて環状に拡がる部位である。上述のスリーブ２３の上面２３２は、ハブ環状部３３１の下面と、僅かな間隙を介して軸方向に対向する。ハブ環状部３３１の径方向内側には、ハブ３３を軸方向に貫通する貫通孔３３０が設けられている。中空シャフト３１の上端部は、貫通孔３３０に圧入される。なお、中空シャフト３１の上端部の外周面は、ハブ環状部３３１の内周面に、さらに接着により固定されてもよい。また、中空シャフト３１の上端部の外周面は、ハブ環状部３３１の内周面に、圧入のみまたは接着のみで固定されてもよく、焼き嵌め等の他の方法で固定されてもよい。
【００２５】
ハブ垂下部３３２は、ハブ環状部３３１の下面の一部から、軸方向に下方へ向かって環状に延びる部位である。ハブ垂下部３３２の下端部は、上述のベース円筒部２１２の上端部の径方向内側、かつ、スリーブ２３の径方向外側に位置する。スリーブ２３の上部の外周面２３１は、ハブ垂下部３３２の内周面と、僅かな間隙を介して径方向に対向する。
【００２６】
ヨーク部３３３は、ハブ環状部３３１の径方向外側の端部から、軸方向に下方へ向かって円筒状に延びる部位である。ヨーク部３３３の下部の内周面には、後述するマグネット３４の外周面が固定される。ヨーク部３３３は、中心軸９と略同軸に配置される。ヨーク部３３３を含むハブ３３の材料には、鉄などの強磁性体が用いられる。これにより、後述するマグネット３４から発生した磁束が外部に逃げてしまうことを抑制できる。なお、ヨーク部３３３の外周面３３５は、磁気ディスク１２の円孔に嵌まる。そして、磁気ディスク１２の内周部の少なくとも一部分は、ヨーク部３３３の外周面３３５に接触する。これにより、磁気ディスク１２が径方向に位置決めされながら、支持される。
【００２７】
フランジ部３３４は、ヨーク部３３３の下端部から径方向外側へ拡がる部位である。磁気ディスク１２は、フランジ部３３４の上側に配置される。そして、下段の磁気ディスク１２の下面は、フランジ部３３４の上面の少なくとも一部分に接触する。これにより、磁気ディスク１２が、軸方向に位置決めされながら、支持される。
【００２８】
マグネット３４は、ヨーク部３３３の内周面に、例えば接着剤で固定される。本実施形態のマグネット３４には、円環状の永久磁石が用いられている。マグネット３４は、略円筒形状であり、ステータ２２の径方向外側に位置する。マグネット３４の内周面は、ステータ２２の複数のティース４１２の径方向外側の端面と、僅かな間隙を介して径方向に対向する。また、マグネット３４の内周面には、Ｎ極とＳ極とが周方向に交互に着磁される。ただし、円環状のマグネット３４に代えて、複数のマグネットが用いられてもよい。複数のマグネットを用いる場合には、Ｎ極の磁極面とＳ極の磁極面とが周方向に交互に並ぶように、ヨーク部３３３の下部の内周面に配置すればよい。
【００２９】
続いて、軸受部の構成について説明する。図３に示すとおり、スリーブ２３およびキャップ２４を含む静止部２と、中空シャフト３１、下側ネジ３２２、ハブ環状部３３１、およびハブ垂下部３３２を含む回転部３とは、僅かな間隙を介して対向している。また、当該間隙には、潤滑オイル５０が介在している。潤滑オイル５０には、例えば、ポリオールエステル系オイルやジエステル系オイルが使用される。また、スリーブ２３の上面２３２、内周面２３３、および下面２３４等には、動圧溝（図示省略）が設けられている。モータ１１の回転時には、当該動圧溝（図示省略）によって、潤滑オイル５０に流体動圧が誘起される。これにより、モータ１１の駆動時には、回転部３が静止部２から支持されることで、安定して回転する。すなわち、本実施形態では、静止部２側の部材であるスリーブ２３およびキャップ２４と、回転部３側の部材である中空シャフト３１、下側ネジ３２２、ハブ環状部３３１、およびハブ垂下部３３２とが、潤滑オイル５０が存在する間隙を介して対向することで、軸受部が構成されている。
【００３０】
なお、潤滑オイル５０は、スリーブ２３の上部の外周面２３１とハブ垂下部３３２の内周面との間の間隙、スリーブ２３の上面２３２とハブ環状部３３１の下面との間の間隙、スリーブ２３の内周面２３３と中空シャフト３１の外周面との間の間隙、およびオイル溜まり部２５において、連続して存在する。すなわち、静止部２と回転部３とが対向する間隙において、潤滑オイル５０が連続して存在する所謂フルフィル構造を有している。これにより、モータ１１の回転時に衝撃が加わった場合においても、静止部２と回転部３との接触を抑制することができる。なお、潤滑オイル５０の界面は、スリーブ２３の上部の外周面２３１とハブ垂下部３３２の内周面との間の間隙に位置する。なお、上述のとおり、下側ネジ円盤部６２がオイル溜まり部２５に位置することにより、回転がより安定する。ただし、モータ１１は、流体動圧軸受に代えて、すべり軸受、ボールベアリング等の他の構成の軸受を有してもよい。
【００３１】
このようなモータ１１において、上述の回路基板を介してコイル４２に駆動電流を供給すると、複数のティース４１２に磁束が生じる。そして、ティース４１２とマグネット３４との間の磁束の作用により、静止部２と回転部３との間に周方向のトルクが発生する。その結果、静止部２に対して回転部３が、中心軸９を中心として回転する。また、ハブ３３に搭載されている磁気ディスク１２は、回転部３とともに、中心軸９を中心として回転する。
【００３２】
＜１−３．中空シャフト、上側ネジ、および下側ネジの構成＞
続いて、中空シャフト３１、上側ネジ３２１、および下側ネジ３２２のより詳細な構成について説明する。
【００３３】
上述のとおり、中空シャフト３１の上側開口３１１から貫通孔３１０の上端部付近において、上側ネジ３２１と螺合する上側溝部３１３が形成されている。モータ１１の製造時には、例えば、中空シャフト３１の母材となる柱状の部材の上端部に対して、柱状のドリルを軸方向に挿入することによって、貫通孔３１０が形成される。その後、タップ等によって上側開口３１１から貫通孔３１０の上端部付近に上側溝部３１３が形成される。そして、上側開口３１１から貫通孔３１０へ上側ネジ３２１が挿入され、上側ネジ３２１が上側溝部３１３に螺合することによって、固定される。また、上側ネジ３２１は、上述のクランプ１３２に設けられた貫通孔１３０（図１および図２参照）を介して上側溝部３１３に固定される。これにより、磁気ディスク１２を押さえつけるクランプ１３２が固定されるとともに、上側開口３１１が閉塞される。
【００３４】
また、中空シャフト３１の下側開口３１２から貫通孔３１０の下端部付近において、下側ネジ３２２と螺合する下側溝部３１４が形成されている。モータ１１の製造時には、貫通孔３１０が形成された後、タップ等によって下側開口３１２から貫通孔３１０の下端部付近に下側溝部３１４が形成される。そして、下側開口３１２から貫通孔３１０へ下側ネジ３２２が挿入され、下側ネジ３２２が下側溝部３１４に螺合することによって、固定される。下側ネジ３２２が固定された状態において、下側ネジ円盤部６２は、周方向に全周に亘って中空シャフト３１の下面に隙間無く接触する。これにより、オイル溜まり部２５の付近に位置する潤滑オイル５０が、中空シャフト３１の内部の貫通孔３１０に浸入することを抑制できる。この結果、中空シャフト３１および軸受部の劣化を抑制できる。
【００３５】
図４は、第１実施形態に係る中空シャフト３１、上側ネジ３２１、および下側ネジ３２２の縦断面図である。図４に示すとおり、本実施形態の下側溝部３１４の軸方向の長さＬ２は、上側溝部３１３の軸方向の長さＬ１よりも短い。例えば、上側溝部３１３の軸方向の長さＬ１を、５．０ｍｍ以上かつ６．０ｍｍ以下とし、下側溝部３１４の軸方向の長さＬ２を、２．０ｍｍ以上かつ３．０ｍｍ以下とすることが望ましい。このように、下側溝部３１４の軸方向の長さＬ２を短くすることによって、回転部３のうち軸受部の付近に位置する部位の剛性を高めることができる。これにより、モータ１１の組立て時または駆動時に外乱が発生することによって、中空シャフト３１に応力が加わった場合でも、中空シャフト３１の変形を抑制できる。
【００３６】
図５は、第１実施形態に係る上側ネジ３２１および下側ネジ３２２の縦断面図である。図５に示すとおり、本実施形態の下側ネジ３２２の軸方向のピッチＰ２は、上側ネジ３２１の軸方向のピッチＰ１よりも小さい。例えば、上側ネジ３２１の軸方向のピッチＰ１を、０．３ｍｍ以上かつ０．５ｍｍ以下とし、下側ネジ３２２の軸方向のピッチＰ２を、０．１ｍｍ以上かつ０．３ｍｍ以下とすることが望ましい。このように、下側ネジ３２２の軸方向のピッチＰ２を小さくすることによって、中空シャフト３１の下側溝部３１４に下側ネジ３２２をより隙間無く螺合することができる。この結果、潤滑オイル５０が中空シャフト３１の内部に浸入することを抑制でき、中空シャフト３１および軸受部の劣化をさらに抑制できる。
【００３７】
さらに、図４に示すとおり、下側ネジ３２２のうち下側溝部３１４と螺合する部位の外径Ｄ１に対する中空シャフト３１の外径Ｄ２は、１．５倍以上かつ２．０倍以下とすることが望ましい。このように、中空シャフト３１が十分な厚みを有することによって、中空シャフト３１のうち軸受部の付近に位置する部位の剛性を高めることができる。これにより、モータ１１の組立て時または駆動時に外乱が発生することによって、中空シャフト３１に応力が加わった場合でも、中空シャフト３１の変形を抑制できる。また、同時に、中空シャフト３１の外径が大きくなり過ぎないため、中空シャフト３１を含むモータ１１を小型化しやすい。これにより、モータ１１を、ハードディスク装置等の微細な装置に適用することができる。
【００３８】
また、本実施形態の中空シャフト３１と下側ネジ３２２とが径方向に重なる位置において、中空シャフト３１と下側ネジ３２２との径方向の間に、さらに接着剤（図示省略）が配置されている。接着剤は、中空シャフト３１と下側ネジ３２２との径方向の間において、周方向に全周に亘って位置する。これにより、中空シャフト３１の内周面に下側ネジ３２２がさらに隙間無く固定される。この結果、潤滑オイル５０が中空シャフト３１の内部に浸入することを抑制でき、中空シャフト３１および軸受部の劣化をさらに抑制できる。
【００３９】
＜２．変形例＞
以上、本発明の例示的な実施形態について説明したが、本発明は上記の実施形態に限定されるものではない。
【００４０】
上述の実施形態に係るモータ１１は、磁気ディスクを回転させるスピンドルモータとして使用していた。しかし、本発明の磁気ディスクに替えて、インペラまたはフライホイールを用いてもよく、本発明のモータを、空気流を供給するファンモータとして使用してもよい。
【００４１】
なお、モータの細部の形状は、本願の各図に示された構成および形状と、相違していてもよい。また、上記の実施形態や変形例に登場した各要素を、矛盾が生じない範囲で、適宜に組み合わせてもよい。
【産業上の利用可能性】
【００４２】
本発明は、モータに利用できる。
【符号の説明】
【００４３】
１  ディスク駆動装置
２  静止部
３  回転部
９  中心軸
１０  ハウジング
１１  モータ
１２  磁気ディスク
１３  アクセス部
１４  カバー
２１  ベース部
２２  ステータ
２３  スリーブ
２４  キャップ
２５  オイル溜まり部
３１  中空シャフト
３３  ハブ
３４  マグネット
４１  ステータコア
４２  コイル
５０  潤滑オイル
６１  下側ネジ軸部
６２  下側ネジ円盤部
１３０  貫通孔
１３１  ヘッド
１３２  クランプ
２１０  貫通孔
２１１  ベース底板部
２１２  ベース円筒部
２１３  ベース側壁部
２３０  スリーブ貫通孔
２３１  外周面
２３２  上面
２３３  内周面
２３４  下面
２３５  環状凸部
３１０  貫通孔
３１１  上側開口
３１２  下側開口
３１３  上側溝部
３１４  下側溝部
３２１  上側ネジ
３２２  下側ネジ
３３０  貫通孔
３３１  ハブ環状部
３３２  ハブ垂下部
３３３  ヨーク部
３３４  フランジ部
３３５  外周面
４１１  コアバック
４１２  ティース
Ｄ１  外径
Ｄ２  外径
Ｐ１  ピッチ
Ｐ２  ピッチ
【図１】
2019097344.tif 000003
【図２】
2019097344.tif 000004
【図３】
2019097344.tif 000005
【図４】
2019097344.tif 000006
【図５】
2019097344.tif 000007